(57)【要約】      （修正有）【課題】製造管理・在庫管理・受注管理・出荷管理・納品管理・現場管理等の点における煩雑化及びコストアップを抑制することができる配管支持具用吊下具を提供する。【解決手段】配管支持具を、天井スラブ等の取付面に埋設されたインサートに角度調整可能に吊下支持する際に用いる配管支持具用吊下具１であって、該配管支持具用吊下具が、倒立使用するタンバックル１１と、倒立状態のタンバックル１１の上部にボルト・ナット固定する羽子板ボルト１２と、倒立状態のタンバックル１１の下部に回動自在に取り付けられたナット部１４と、を有しており、前記羽子板ボルトを前記インサートに螺合することで前記取付面に配管支持具用吊下具１を取付固定し、前記倒立状態のタンバックル１１の下部に取り付けられたナット部１４に、配管支持具を吊りボルトの如き吊下連結手段を介して吊下固定する構成であることを特徴とする。【選択図】図１
0003152066.tif 000002
【実用新案登録請求の範囲】
【請求項１】
配管支持具を、天井スラブ等の取付面に埋設されたインサートに角度調整可能に吊下支持する際に用いる配管支持具用吊下具であって、
該配管支持具用吊下具が、倒立使用するタンバックルと、倒立状態のタンバックルの上部にボルト・ナット固定する羽子板ボルトと、倒立状態のタンバックルの下部に回動自在に取り付けられたナット部と、を有しており、
前記羽子板ボルトを前記インサートに螺合することで前記取付面に配管支持具用吊下具を取付固定し、
前記倒立状態のタンバックルの下部に取り付けられたナット部に、配管支持具を吊りボルトの如き吊下連結手段を介して吊下固定する構成であること、
を特徴とする配管支持具用吊下具。
【請求項２】
羽子板ボルトに対するタンバックルの取付角度を調整することで配管支持具の斜め吊下角度を所望角度に調整する構成であることを特徴とする請求項１に記載の配管支持具用吊下具。
【考案の詳細な説明】
【技術分野】
【０００１】
本考案は配管支持具用吊下具に関し、詳しくは天井スラブ等の取付面に、水道管、ガス管、冷・暖房管等の各種配管を斜め方向から吊り固定する配管支持具用吊下具に関する。
【背景技術】
【０００２】
天井スラブ等の取付面に吊りボルト等の支持部材による吊下支持に加えて、前記取付面から斜めに垂設した吊下支持杆を付加すること等によって２点支持乃至は３点支持することで防振（防震）構造としたことが一般的に行われている。
【０００３】
本出願人は、かかる技術について研究を続けており、特許文献１〜５等に示すような技術を先に提案している。
【先行技術文献】
【特許文献】
【０００４】
【特許文献１】登録実用新案第３１４８９４３号
【特許文献２】登録実用新案第３１４８８４８号
【特許文献３】登録実用新案第３１４８７０８号
【特許文献４】登録実用新案第３１４８３６１号
【特許文献５】登録実用新案第３１４８３１５号
【考案の概要】
【考案が解決しようとする課題】
【０００５】
配管支持具類は、当業各社の製品カタログ群から明らかなように、極めて膨大な種類を有するだけでなく、各種類毎に素材違い・サイズ違い・仕様違い等のように細目が更に別れており、製造管理・在庫管理・受注管理・出荷管理・納品管理・現場管理等の点において極めて煩雑なものとなってしまっている。
【０００６】
特許文献１〜５に示す技術は、既存構成を有する配管支持具類に新たな構成を付加した構造を有するもの（特許文献１及び４）や、新たな構成を有する専用構造のもの（特許文献２、３及び５）であり、かかる新たな製品の創出は上述した膨大な種類の配管支持具類の煩雑化に更に拍車をかけるものである。特に、使用形態の僅かな違いにも拘らず、全く新規なる構造の製品を創出することは、前述した煩雑化に拍車をかけるだけでなく、コストアップに繋がるものである。
【０００７】
そこで本考案の課題は、製造管理・在庫管理・受注管理・出荷管理・納品管理・現場管理等の点における煩雑化及びコストアップを抑制することができる配管支持具用吊下具を提供することにある。
【課題を解決するための手段】
【０００８】
上記課題を解決する本考案は下記構成を有する。
【０００９】
１．配管支持具を、天井スラブ等の取付面に埋設されたインサートに角度調整可能に吊下支持する際に用いる配管支持具用吊下具であって、
該配管支持具用吊下具が、倒立使用するタンバックル部と、倒立状態のタンバックル部の上部にボルト・ナット固定する羽子板ボルト部と、倒立状態のタンバックル部の下部に回動自在に取り付けられたナット部と、を有しており、
前記羽子板ボルトを前記インサートに螺合することで前記取付面に配管支持具用吊下具を取付固定し、
前記倒立状態のタンバックル部の下部に取り付けられたナット部に、配管支持具を吊りボルトの如き吊下連結手段を介して吊下固定する構成であること、
を特徴とする配管支持具用吊下具。
【００１０】
２．羽子板ボルト部に対するタンバックル部の取付角度を調整することで配管支持具の斜め吊下角度を所望角度に調整する構成であることを特徴とする上記１に記載の配管支持具用吊下具。
【考案の効果】
【００１１】
請求項１に示す考案によれば、製造管理・在庫管理・受注管理・出荷管理・納品管理・現場管理等の点における煩雑化及びコストアップを抑制することができる配管支持具用吊下具を提供することができる。
【００１２】
特に、全く新規な構成の製品を作成することなく既存のタンバックルと羽子板とを組み合わせて用いることで得ることができ、しかも、吊下角度を所望角度に極めて容易に調整することができる。
【００１３】
とりわけ特に、吊下角度は、斜め吊下は勿論のこと、直下に吊下げる場合や直下を通り過ぎての反対側での斜め吊下や、配管軸に対応する斜め吊下方向の調整にも極めて容易に調整することができるので、現場での吊下角度及び吊下方向の変更でも極めて柔軟に対応することができる。
【００１４】
請求項２に示す考案によれば、取付面のインサートに螺合取付けした羽子板ボルトに対するタンバックルの取付角度を調整するだけで、斜め吊下角度を所望の角度に極めて容易に調整することができる。
【図面の簡単な説明】
【００１５】
【図１】本考案に係る配管支持具用吊下具の一実施例を示す５面図（正面図、平面図、底面図、左側面図、右側面図）
【図２】図１に示す配管支持具用吊下具の使用例の一例をを示す概略左側面図
【考案を実施するための形態】
【００１６】
次に、添付の図面に従って本考案を詳細に説明する。
【００１７】
本発明に係る配管支持具用吊下具（以下、単に吊下具と言うこともある。）１は、図２に示すように配管Ｐを抱持する配管支持具２を、天井スラブ等の取付面３に埋設されたインサート４に角度調整可能に吊下支持する際に用いるものである。
【００１８】
吊下具１の具体的な構成としては、図１に示すように、吊下具１が、倒立使用するタンバックル部１１と、倒立状態のタンバックル部１１の上部にボルト・ナット１３で固定する羽子板ボルト部１２と、倒立状態のタンバックル部１１の下部に回動自在に取り付けられたナット部１４と、を有した構成である。
【００１９】
吊下具１の一構成部材であるタンバックル部１１としては、公知公用の既存のタンバックルを特別の制限なく用いることができるため、吊下具としての新たな部材の設計・製造等を行う必要がなく、様々な新規且つ煩雑な手間が生じることを著しく抑制することができる。
【００２０】
吊下具１の一構成部材である羽子板ボルト部１２についても、公知公用の既存の羽子板ボルトを特別の制限なく用いることができるため、吊下具としての新たな部材の設計・製造等を行う必要がなく、様々な新規且つ煩雑な手間が生じることを著しく抑制することができる。
【００２１】
次に、上記構成を有する吊下具１の使用例について説明する。
【００２２】
図２に示すように、吊下１の一構成部材である羽子板ボルト１２を前記取付面に埋設されたインサート４に螺合する。この螺合により吊下具１を取付面３に取付固定することができる。
【００２３】
次に、取付面３に取付固定する吊下具１の一構成部材であるナット部１４に、配管支持具２を吊りボルトの如き吊下連結手段を介して吊下固定することで、配管Ｐを吊下支持することができる。
【００２４】
本考案の吊下具１と配管Ｐを抱持した配管支持具２との吊下連結としては、本実施例では、吊りボルトの如き吊下支持杆５とボルト・ナット２１とＬ字金具２２とナット２３によって行っているが、本考案は当該実施例に限定されず、この種の配管支持具に用いることができる公知公用の接続構成を採ることができる。
【００２５】
この配管Ｐの吊下支持の際、配管Ｐの配管位置（配管軸方向、配管高さ、インサート４の埋設位置等）に応じて、羽子板ボルト部１２に対するタンバックル部１１の取付角度を調整することで、配管支持具２の斜め吊下角度を所望角度に調整することができる。
【００２６】
吊下具１による配管Ｐの斜め吊下角度の一例としては、本実施例のように概ね４５度の角度であることが防振（防震）性の点から好ましいが、設計条件や現場条件に応じて他の角度に調整することができる。尚、斜め吊下に限らず、直下方向への吊下げにも対応することができる。
【００２７】
以上、本考案に係る配管支持具用吊下具の実施例について説明したが、本考案は上記実施例に限定されず、本考案の範囲内において種々の他の態様を採ることもできる。
【００２８】
例えば、羽子板ボルト部１２は、本実施例に示した長さに限定されず、吊下角度等の諸条件に応じて長尺状のボルト部分を有するものであってもよい。
【符号の説明】
【００２９】
１  配管支持具用吊下具
１１  タンバックル部
１２  羽子板ボルト部
１３  ボルト・ナット
１４  ナット部
２  配管支持具
２１  ボルト・ナット
２２  Ｌ字金具
２３  ナット
３  取付面
４  インサート
５  吊下支持杆
Ｐ  配管
【図１】
0003152066.tif 000003
【図２】
0003152066.tif 000004